Podtech/llm-jp-corpus-v4-ja_patent huggingface dataset:
(57)【要約】      （修正有）【課題】シンプルな構造でありながら２通りの展示方法をもって使用でき、且つ展示効果に優れ、様々なインテリアデザインに馴染む眼鏡スタンドを提供する。【解決手段】円錐形状の任意の素材を斜めに切断し、本体上部と本体下部を約３分の１程度ずらして組み合わせる。眼鏡を置く際には、切断面に折畳んだ眼鏡のツルを嵌め込み、本体上部を鼻パッドで挟むように掛けることにより、２通りの展示方法をとることができる。また、本体上部を人間の鼻に見立てることにより、眼鏡を掛けた顔を彷彿とさせ、着用時の印象を示したディスプレイが可能となり展示効果に優れる。そして、円錐と裁頭円錐を組合せただけのシンプルなデザインである為、様々なインテリアデザインに合わせることが可能である。【選択図】図１
0003169292.tif 000002
【実用新案登録請求の範囲】
【請求項１】
円錐形状の任意の素材を斜めに切断し、図４のように上部と下部を約３分の１程度ずらして組合せることにより、図１及び図２で表されるように２通りの展示方法が可能であることを特徴とする眼鏡スタンド。
【請求項２】
図１のように、本体上部２を折畳んだ眼鏡のツル５と鼻パッド６にて跨ぐように挟み込むことにより、眼鏡を正面から見えるように展示することができることを特徴とする請求項１の眼鏡スタンド。
【請求項３】
図２のように、本体上部２の背面に鼻パッド６をのせる様に掛けることにより、眼鏡を見下ろすように平面で展示することができることを特徴とする請求項１又は２の眼鏡スタンド。
【請求項４】
本体上部２を人間の鼻に見立てることにより、眼鏡を展示した際に人間の顔を彷彿とさせ、着用時の印象を示したディスプレイが可能で、展示効果に優れていることを特徴とする請求項１，２又は３の眼鏡スタンド。
【請求項５】
シンプルな形状・デザインである為、様々なインテリアデザインに合わせることが可能で使い勝手が良いことを特徴とする請求項１，２，３又は４の眼鏡スタンド。
【請求項６】
円錐形状を斜めに切断し組合せたことにより、本体下部３の切断面４が谷型となり、その谷型となった部分に折畳んだ眼鏡のツル５が嵌まりこみ、そして本体上部２を鼻パッド６で挟み込む状態となる為、安定して眼鏡を展示することができることを特徴とする請求項１，２，３，４又は５の眼鏡スタンド。
【考案の詳細な説明】
【技術分野】
【０００１】本考案は、外した眼鏡を簡単に置いておくことができ、またディスプレイ用として２通りの展示方法が可能な眼鏡スタンドに関する。
【背景技術】
【０００２】従来の眼鏡スタンドとしては、特許文献１のように可撓性を有するシート状の物を裁頭円錐筒形状にすることにより、外した眼鏡を簡単に置くことができ、またディスプレイ用としても使用できる眼鏡スタンドがある。
【先行技術文献】
【特許文献】
【０００３】
【特許文献１】実用新案登録第３１２３３１９号
【考案の概要】
【考案が解決しようとする課題】
【０００４】従来の眼鏡スタンドにおいては、眼鏡スタンド１つに対して１通りの展示方法しかなく、別な展示の仕方をしたい場合には、その展示方法に対応した別の眼鏡スタンドが必要であった。【０００５】また、展示の効率や利便性を重視するあまりデザインを犠牲としたものや、展示効果を高める為に凝ったデザインを用いた為、インテリアデザインとの相性から使用できるシーンが限られ、使い勝手を犠牲としたものが多い。【０００６】そこで本考案は、これらの課題を解決し又は改善し、シンプルな構造でありながら２通りの展示方法をもって使用でき、且つ展示が容易で、様々なインテリアデザインに馴染む眼鏡スタンドを提供するものである。
【課題を解決するための手段】
【０００７】本考案は、円錐形状の任意の素材を斜めに切断し、図４の様に上部と下部を約３分の１程度ずらして組合わされており、図１、図２で表される実施例のように使用することにより、上述の課題を解決するものである。
【考案の効果】
【０００８】上述の様に、本考案の眼鏡スタンドは２通りの展示方法が可能であるとともに、シンプルな形状・デザインである為、様々なインテリアデザインに合わせることが可能で使い勝手が良い。【０００９】また、円錐形状を斜めに切断し組合せたことにより、本体下部３の切断面４が谷型となり、その谷型となった部分に折畳んだ眼鏡のツル５が嵌まりこみ、そして本体上部２を鼻パッド６で挟み込む状態となる為、安定して眼鏡を展示することができる。【００１０】さらに、本体上部２を人間の鼻に見立てており、眼鏡を展示した際に人間の顔を彷彿とさせ、着用時の印象を示したディスプレイを可能とし、展示効果に優れている。
【図面の簡単な説明】
【００１１】
【図１】本考案の実施例１を示す正面図である。
【図２】本考案の実施例２を示す斜視図である。
【図３】本考案の正面図
【図４】本考案の側面図
【図５】本考案の平面図
【考案を実施するための形態】
【００１２】眼鏡スタンド本体１は本体上部２と本体下部３によって構成され、本体上部２と本体下部３は約３分の１程度ずらして組み合わされている。眼鏡を置く際には、切断面４に折畳んだ眼鏡のツル５を嵌め込み、本体上部２を鼻パッド６で挟むように掛ける。そして、図１や図２の実施例の様に２通りの展示方法をとることができる。
【実施例】
【００１３】以下、添付図面に従って実施例を説明する。図１及び図２は、本考案の実施例である。【００１４】図１の実施例１は、本考案の展示方法１を示したものである。本体上部２を折畳んだ眼鏡のツル５と鼻パッド６にて跨ぐように挟み込み、眼鏡を展示する。これにより眼鏡を正面から見えるように展示することができる。【００１５】図２の実施例２は、本考案の展示方法２を示したものである。本体上部２の背面に鼻パッド６をのせる様に掛け、眼鏡を展示する。これにより眼鏡を見下ろすように平面で展示することができる。
【符号の説明】
【００１６】１  眼鏡スタンド本体
２  本体上部
３  本体下部
４  切断面
５  ツル
６  鼻パッド
【図１】
0003169292.tif 000003
【図２】
0003169292.tif 000004
【図３】
0003169292.tif 000005
【図４】
0003169292.tif 000006
【図５】
0003169292.tif 000007
【手続補正書】
【提出日】平成23年5月10日(2011.5.10)
【手続補正１】
【補正対象書類名】実用新案登録請求の範囲
【補正対象項目名】全文
【補正方法】変更
【補正の内容】
【実用新案登録請求の範囲】
【請求項１】
円錐形状の任意の素材を斜めに切断し、切断後の上部と下部を約３分の１程度ずらして組合せることにより、２通りの展示方法が可能であることを特徴とする眼鏡スタンド。
(57)【要約】      （修正有）【課題】詰め替え用容器使用後に容器内部に液体が付着し、リサイクル分別を行うには内部の洗浄が必要であり、その作業に大量の水と時間を必要とする。洗浄を行わずに容易に分別廃棄を行うことができる詰め替え用容器を提供する。【解決手段】容器内に内袋部２２を設けることにより液体付着部分を容器から分離する。また注ぎ口部１２を持ち回転・引き抜きの動作を行うことにより、内袋部を容器から容易に引き抜くことができる。【選択図】図１
0003169296.tif 000002
【実用新案登録請求の範囲】
【請求項１】
容器内に内袋部を設けることを特徴とする詰め替え用容器。
【請求項２】
注ぎ口部を持ち回転・引き抜きの動作を行うことにより、内袋部を容器から容易に引き抜くことを特徴とする詰め替え用容器。
【考案の詳細な説明】
【技術分野】
【０００１】この考案は、詰め替え用容器に関する。
【背景技術】
【０００２】従来の詰め替え用容器は使用後に容器内部に液体が付着し、リサイクル分別を行うには内部の洗浄が必要である。
【先行技術文献】
【特許文献】
【０００３】
【特許文献１】特許公開２００７−７６６６８
【考案の概要】
【考案が解決しようとする課題】
【０００４】詰め替え用容器使用後に容器内部に液体が付着し、リサイクル分別を行うには内部の洗浄が必要であり、その作業に大量の水と時間を必要とする。
そこで、洗浄を行わずに容易に分別廃棄を行うことを課題とする。
【課題を解決するための手段】
【０００５】以上の課題を解決する為に、第一考案は、容器内に内袋部を設けることを特徴とする詰め替え用容器である。
また、第二考案は、注ぎ口部を持ち回転・引き抜きの動作を行うことにより、内袋部を容器から容易に引き抜くことを特徴とする詰め替え用容器である。
【考案の効果】
【０００６】第一考案により液体の付着した部分を容器から分離することができる。
第二考案により分離作業をごく短時間で容易に行うことができる。
【図面の簡単な説明】
【０００７】
【図１】この考案の一実施形態の使用前を示す斜視図である。
【図２】この考案の一実施形態の分離中を示す斜視図である。
【考案を実施するための形態】
【０００８】この考案の一実施形態を、図１に示す。１０容器より１１切欠を手で除去し、既存容器に液体の詰め替え作業を行う。作業後１２注ぎ口部を持ち、回転させることにより１３切取線が切れ１０容器から１２注ぎ口部が分かれる。そのまま１２注ぎ口部を引き抜くことにより、１２注ぎ口部と接着されている２１筒部および２２内袋部が１０容器より分離される。
分離した液体付着部分を廃棄し、残った１０容器をリサイクル分別する。
【符号の説明】
【０００９】１０  プラスチック容器
１１  切欠
１２  注ぎ口部
１３  切取線
２１  筒部
２２  内袋部
【図１】
0003169296.tif 000003
【図２】
0003169296.tif 000004
【手続補正書】
【提出日】平成23年4月28日(2011.4.28)
【手続補正１】
【補正対象書類名】明細書
【補正対象項目名】０００５
【補正方法】変更
【補正の内容】
【０００５】以上の課題を解決する為に、第一考案は、容器内に内袋部を設けることを特徴とする詰め替え用容器である。
また、第二考案は、容器本体より道具を使わず分離できる注ぎ口部を持ち、なおかつ、少なくとも注ぎ口部と内袋部を引抜き可能とする為に、注ぎ口部と内袋部を直接または間接的に接着等により一体化している構造を特徴とする第一考案記載の詰め替え用容器である。
【手続補正２】
【補正対象書類名】実用新案登録請求の範囲
【補正対象項目名】請求項２
【補正方法】変更
【補正の内容】
【請求項２】
容器本体より道具を使わず分離できる注ぎ口部を持ち、なおかつ、少なくとも注ぎ口部と内袋部を引抜き可能とする為に、注ぎ口部と内袋部を直接または間接的に接着等により一体化している構造を特徴とする請求項１記載の詰め替え用容器
(57)【要約】      （修正有）【課題】販売店では置いてないロングパターを使用したい方に、誰が購入しても自分に合った長さにして競技ができる試打用のパターを提供する。【解決手段】プロが使用しているロングパターを使って見たいとおもう方に、誰でも自分に合う長さに合わせて使用できるパターにした。又販売店に置き試打してもらい実際に自分に合っているか確かめて注文してもらえる試打パター。【選択図】図１
0003169295.tif 000002
【実用新案登録請求の範囲】
【請求項１】
パターを自分に合う長さでピンを入れ、締め付け具により固定させ、使用できるパター。
【考案の詳細な説明】
【技術分野】
【０００１】本考案はロングパターを使いたい人のためにシャフトをスライドさせて、自分に合う長さで固定して使用できるパターである。
【背景技術】
【０００２】ロングパターは販売店では売っていません、注文をして製作してもらう、本当に自分に合うか出来上がって見ないと分からない、簡単には購入できない問題がある。
【考案の概要】
【考案が解決しようとする課題】
【０００３】自分に合うロングパター、セミロングパターが自分に合う長さを決められるパターである。
【課題を解決するための手段】
【０００４】スライドする外パイプと内パイプを自分に合う所で固定して先端にパターヘッドを取り付けし、他端を手で握り顎、胸、などにあてがいボールを打つ。
【考案の効果】
【０００５】普通は前かがみで打つが、立ち姿でホールとボールの軌道が見えやすくなる、
【考案を実施する為の形態】
【０００６】スライドする外パイプと内パイプを自分に合う所でピンを入れ、締め付け具により固定、先端にパターヘッドを取り付けた形状である。
【図面の簡単な説明】
【０００７】
【図１】Ａ図は本考案の側面  Ｂ図は本考案の正面
【図２】本考案を使用している姿
【産業上の利用可能性】
【０００８】  このパターの製作はスライドする外パイプと内パイプに穴を開けて外パイプと内パイプを同じ場所でピンを入れ貫通固定させる、先端にはパターヘッドを強靭に固定した。
【実施例】
【０００９】  外パイプに穴を１，２個開ける、内パイプに数個穴を開ける、スライドさせて自分に合ったと思う所にピンを入れバンドで止めぐらつかないよう締め付け具により固定させ打ってみる、数度繰り返して自分の合う長さを決める。【００１０】  ゴルフ中は長さを変えることはできないので、１日は同じ長さで競技する
【符号の説明】
【００１１】１は手元グリップ
２は外パイプ
３は打パイプ
４はパターヘッド
５は固定ピン
６はピン落下防止材
７は締め付け具
【図１】
0003169295.tif 000003
【図２】
0003169295.tif 000004
【手続補正書】
【提出日】平成23年5月6日(2011.5.6)
【手続補正１】
【補正対象書類名】実用新案登録請求の範囲
【補正対象項目名】全文
【補正方法】変更
【補正の内容】
【実用新案登録請求の範囲】
【請求項１】
「１，２個の穴の開いた外パイプと、数個の穴の開いた内パイプ、外パイプと内パイプを固定するためのピン及び締め付け具、及び内パイプに固定されたパターヘッドからなり、外パイプと内パイプはスライド可能で、自分に合う長さでピンを入れ、締め付け具によって固定させることができることを特徴とするパター」
【手続補正２】
【補正対象書類名】明細書
【補正対象項目名】００１１
【補正方法】変更
【補正の内容】
【００１１】１は手元グリップ
２は外パイプ
３は内パイプ
４はパターヘッド
５は固定ピン
６はピン落下防止材
７は締め付け具
(57)【要約】      （修正有）【課題】肩幅が邪魔をして後方確認が出来なかった問題を解決した自転車及び原動機付自転車用ミラーを提供する。【解決手段】自転車ハンドルの前・下から後方確認をすれば、右のミラーで左後方までも確認出来る。肩幅の影響を受けないハンドルより低い部分にミラーを設置することで解決する。ハンドル前下に設置することで視野が広がり交通事故防止に役立てる。【選択図】図１
0003169063.tif 000002
【実用新案登録請求の範囲】
【請求項１】
自転車及び原動機付き自転車のハンドル前下に、加工を加えたバックミラーを設置して視野を広げる。
【考案の詳細な説明】
【技術分野】
【０００１】現在市販されている。自転車用バックミラーの心棒先端から３ｃｍの部分を曲げて加工することで、そのまま使える。
【背景技術】
【０００２】ハンドルの後下では、カーブなどで膝に当たる。
【考案の開示】
【０００３】自転車及び原動機付き自転車のハンドル前下にバックミラーを設置する。
【考案が解決しようとする課題】
【０００４】自転車及び原動機付き自転車は、車副６５ｃｍ以内という制限が有るため市販のバックミラーを設置しても、肩幅が邪魔をして後方確認がよくできない。
【課題を解決するための手段】
【０００５】肩幅の影響を受けない「ハンドルより低い部分」にミラーを設置することで、解決する。
【考案の効果】
【０００６】ハンドル前下に設置することで視野が広がり「交通事故防止」に役立てると確信します。
【考案を実施するための最良の形態】
【０００７】自転車メーカーと協力して、普及に努め「交通事故防止」に役立てたい
【実施例】
【０００８】図  １【０００９】写真１【００１０】写真２
【産業上の利用可能性】
【００１１】肩幅が邪魔をして後方確認が出来なかったバックミラーに替わり自転車及び原動機付き自転車に最初からスッキリミラーを設置して堂々と売り出せると思います。
【図面の簡単な説明】
【図１】市販されている自転車用バッミラーの心棒部分
【符号の説明】▲１▼市販されているそのままの状態は、真っ直ぐ
▲２▼４５°から９０°の範囲で曲げることで自転車ハンドル前下に使用できる
▲３▼元々曲げてある部分
▲４▼自転車ハンドルに取り付ける部分
【図１】
0003169063.tif 000003
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
ハンドル前のハンドルより低い部分に、バックミラーを設置した自転車。
【請求項２】
ハンドル前のハンドルより低い部分に、バックミラーを設置した原動機付き自転車。
【請求項３】
ハンドル前のハンドルより低い部分に、設置することを目的にした自転車用バックミラー。
【手続補正２】
【補正対象書類名】明細書
【補正対象項目名】全文
【補正方法】変更
【補正の内容】
【考案の詳細な説明】
【技術分野】
【０００１】現在市販されている。自転車用バックミラーの心棒先端から３ｃｍの部分を曲げて加工することで、そのまま使える。
【背景技術】
【０００２】ハンドル後のハンドルより低い部分では、カーブなどで膝に当たるので、設置出来ない。
【考案の開示】
【０００３】自転車及び原動機付き自転車のハンドル前のハンドルより低い部分にバックミラーを設置する。
【考案が解決しようとする課題】
【０００４】自転車及び原動機付き自転車は、車副６５ｃｍ以内という制限が有るため市販のバックミラーを設置しても、肩幅が邪魔をして後方確認がよくできない。
【課題を解決するための手段】
【０００５】肩幅の影響を受けない「ハンドルより低い部分」にバックミラーを設置することで、解決する。
【考案の効果】
【０００６】ハンドル前のハンドルより低い部分にバックミラーを設置することで視野が広がり「交通事故防止」に役立てると確信します。
【考案を実施するための最良の形態】
【０００７】自転車メーカーと協力して、普及に努め「交通事故防止」に役立てたい
【実施例】
【０００８】写真１【０００９】写真２
【産業上の利用可能性】
【００１０】肩幅が邪魔をして後方確認が出来なかったバックミラーに替わり自転車及び原動機付き自転車に最初からスッキリミラーを設置して堂々と売り出せると思います。
【図面の簡単な説明】
【００１１】
【図１】市販されている自転車用バックミラーの心棒部分
【符号の説明】
【００１２】▲１▼市販されているそのままの状態は、真っ直ぐ
▲２▼４５°から９０°の範囲で曲げることで自転車ハンドル前下に使用できる
▲３▼元々曲げてある部分
▲４▼自転車ハンドルに取り付ける部分
【手続補正書】
【提出日】平成23年2月23日(2011.2.23)
【手続補正１】
【補正対象書類名】実用新案登録請求の範囲
【補正対象項目名】請求項３
【補正方法】変更
【補正の内容】
【請求項３】
［概要］ハンドル前のハンドルより低い部分に、設置する自転車用バックミラー、「スッキリミラー」は、３個の部品・部分を組み合わせて完成される。
［部品１］バックミラーをハンドルに取り付ける為の部品は何処のメーカーも完成された技術があるので、その方法を使わせて頂く。
［部品２］鏡（ミラー）部分はメーカーそれぞれ特徴は有れども、心棒先の球形を包み込み接続する共通性の有る技術が普及、定着しているのでその技術を使わせて頂く。
［部品３］は［部品１］と［部品２］を繋ぐ心棒これが、この「スッキリミラー」最大の特徴を有する部品である。
この心棒の長さは、３００ｍｍ（＋−５０ｍｍ）その内ハンドルに取り付ける部分には、３５ｍｍねじを切ってあり、ねじ留めのストップを附けそれより３０ｍｍ先端方向へ行った処を３５°（＋−５°）曲げるこの曲がり部分を▲１▼とし、それより先端方向に２００ｍｍ（＋−５０ｍｍ）は直線で、その先の部分を６５°（＋−２５°）の範囲で▲１▼と同じ方向に曲げ▲２▼として、そこより３０ｍｍ先の先端をミラーと接続するために球形に加工した部品である。
［自転車への設置の説明］
［部品１］を自転車のハンドルに巻き付け［部品３］のねじの部分を通して締め付けて、ハンドルの前方斜め下へ、水平に対して４０°（＋−１０°）の範囲で設置▲１▼の、曲がり部分を外側に向け自転車運転者の身長により目線が違うので、目線に合わせて角度  調整する。▲２▼も外側に向いているので、その先端にミラー［部品２］を取り付けて後方  確認が一番しやすいようにミラーの調整をする。その時自転車の車副が６５０ｍｍを超えないように注意する。「スッキリミラー」はそのままで左右どちらへも設置可能である。
【手続補正書】
【提出日】平成23年4月14日(2011.4.14)
【手続補正１】
【補正対象書類名】実用新案登録請求の範囲
【補正対象項目名】請求項３
【補正方法】変更
【補正の内容】
【請求項３】
バックミラーをハンドルに取り付ける為の部品、鏡、及びそれらを繋ぐ先端から３ｃｍの部分を曲げて加工した形状の心棒よりなることを特徴とする、ハンドル前のハンドルより低い部分に、設置する自転車用バックミラー。
(57)【要約】      （修正有）【課題】中鼻甲介・下鼻甲介が腫れ、また鼻中隔部の曲がり、さらに  ２〜３時間毎に  鼻の腫れが起こる鼻サイクルで鼻呼吸が困難になっている人が、楽に鼻での呼吸が出来る呼吸補助具を提供する。【解決手段】断面が英字のＨの形をした左右一対の挿入部３と、前記挿入部の下側部同士を連結する連結部１と、前記挿入部の内側に設けられた左右一対の突起物２からなる呼吸補助具を形成する。使用に当たっては、鼻の中に、楽に呼吸出来る隙間を確保する目的で、該呼吸補助具を鼻の狭くなった箇所を抜け出た所まで挿入して拡張させる。【選択図】図２
0003169066.tif 000002
【実用新案登録請求の範囲】
【請求項１】
鼻の中に入れる物なので、断面を鼻の役割が果たせる様に英字の［Ｈ］にしている。
【請求項２】
鼻の中で、狭くなる箇所を通過した所まで（中鼻甲介、下鼻甲介を通過した所まで）を拡張させられる物である。
【請求項３】
鼻から抜け出ないようにさせている突起物の形状は、半球体である。
【考案の詳細な説明】
【技術分野】
【０００１】本考案は、中鼻甲介・下鼻甲介が腫れた場合、また鼻中隔部の曲がり、さらに  ２〜３時間毎に  鼻の腫れが起こる鼻サイクルで鼻呼吸が困難になった人の中鼻甲介・下鼻甲介を通過した所まで鼻の中で狭くなった箇所を拡張させ、鼻での呼吸を楽にさせる物である。
鼻の役割が発揮出来る様に断面は、英字の［Ｈ］にして吸い込む空気と鼻の中の粘膜とが触れるようにする。
【背景技術】
【０００２】従来、鼻孔に装着し鼻腔を拡張させることにより鼻呼吸を改善する呼吸補助具には、例えば、特許公開２００８−１２６０２３号公報（特許文献１）が知られている。
その特許文献１は  バネを有し、呼吸補助具の鼻への装着は、一個の挿入アーム部を片側の鼻孔に差し込む操作であって、従来補助具と違い二個のアーム部材を左右両鼻孔に同時に挿入しないので、その操作に熟練を要せず初心者であってもスムーズに装着することができ操作性に優れる。しかも、装着した状態が、挿入アーム部と支持アームとを鼻の内外から挟み付けることにより安定するので、睡眠中にずれたり脱落することがなく安定した呼吸作用を持続させることができ、熟睡を可能にしたものである。
【考案の概要】
【０００３】今回  考案した物は、鼻の中で狭くなった箇所を確実に拡張が出来て、楽に鼻での呼吸が可能になる物である。鼻での呼吸で必要な鼻の中の隙間の断面は、  両穴で安静時に約４０ｃｍ２で良いだろうから、考案した形状は  挿入時の負担を軽減する隙間を拡張する形状にする。
【考案が解決しようとする課題】
【０００４】多くの人が、楽に鼻での呼吸が出来なくて寝つきが悪くなっていたり、どちらかの向きでは鼻での呼吸が出来なくて寝返りが減って肩を痛めて苦しんでいる人が居る。また  鼾を発してる人の近くで寝ている人が睡眠障害で困っている人も多い。
これらの問題から、手術する人が居るようだが、高周波による手術をしても、効果は３年位しかないようだ。
【課題を解決するための手段】
【０００５】両方の鼻の穴に拡張する物を入れ、楽に鼻での呼吸を可能にさせる。就寝中に位置が変わらないように、図２の１と２とで固定させる。
【考案の効果】
【０００６】鼻での呼吸が楽に出来なくて苦しんでいる人が  楽に鼻での呼吸が出来るようになる
また  鼾を発してる人の近くで寝ている人の睡眠障害が緩和される。
【図面の簡単な説明】
【０００７】
【図１】本実用新案の鼻に挿入された状態の正面図である。
【図２】立面図である。
【図３】鼻に挿入した状態の側面図である。
【符号の説明】
【０００８】１  左右の鼻に挿入する物の連結部、また奥に入らないようにする物
２  鼻から抜け出ないようにする突起物
３  挿入時の痛みを和らげる為に丸くさせた角部
４  挿入時の痛みを和らげる為に丸くさせた先端部
【図１】
0003169066.tif 000003
【図２】
0003169066.tif 000004
【図３】
0003169066.tif 000005
【手続補正書】
【提出日】平成23年2月28日(2011.2.28)
【手続補正１】
【補正対象書類名】実用新案登録請求の範囲
【補正対象項目名】全文
【補正方法】変更
【補正の内容】
【実用新案登録請求の範囲】
【請求項１】
鼻の役割（加湿・加温・さらに空気中の細かいゴミや細菌ウイルスなどが取り除く）が果たせる様に断面が英字の［Ｈ］を特徴とした鼻の中で狭くなる箇所（中鼻甲介・下鼻甲介・鼻中隔部）を拡張する呼吸補助具である
【手続補正書】
【提出日】平成23年4月22日(2011.4.22)
【手続補正１】
【補正対象書類名】実用新案登録請求の範囲
【補正対象項目名】全文
【補正方法】変更
【補正の内容】
【実用新案登録請求の範囲】
【請求項１】
断面が英字のＨの形をした左右一対の挿入部と、前記挿入部の下側部同士を連結する連結部と、前記挿入部の内側に設けられた左右一対の突起物からなる呼吸補助具。
(57)【要約】      （修正有）【課題】ハンガーにシリコーンゴムを塗布することで、風が吹いても洗濯の干し物等は片寄ったりしない、又、箱から取り出す際にフック同士は絡まない、物干し専用ハンガー装置を提供する。【解決手段】物干し専用ハンガー装置は、ハンガー１のフック２全体にシリコーンゴム等の滑り止め被覆３をほどこし、フック２の内側に物干し竿の穴４と切り溝と輪５及び物干し竿入口切り溝６を設けて成る。【選択図】図１
0003169070.tif 000002
【実用新案登録請求の範囲】
【請求項１】
ハンガーのフック全体にフックの挿入口を塞ぐようにシリコンゴム樹脂系等の滑り止めを備え、前記滑り止めに物干し竿を挿入可能な溝を備えたことを特徴とする物干し専用ハンガー装置。
【請求項２】
ハンガーのフックの周りをシリコンゴム樹脂系等の滑り止めで覆ったことを特徴とする物干し専用ハンガー装置。
【考案の詳細な説明】
【技術分野】
【０００１】  本考案は物干しに関する物干し専用ハンガー装置に関わるものである。
【背景技術】
【０００２】  従来の円形フック付きハンガーと針金ハンガー用装置具は物干し竿の外周面に対し全体の密着面が不足の為に不便である。
【先行技術文献】
【特許文献】
【０００３】
【特許文献１】特許公開２０１０−２５３００９号公報
【特許文献２】特許公開平９−８４６８３号公報
【考案の概要】
【考案が解決しようとする課題】
【０００４】  しかし、これでは物干し竿の外周面の密着面が不足の為にハンガーが滑るので不便を生じるのである。
【課題を解決するための手段】
【０００５】  ハンガーのフック全体にフックの挿入口を塞ぐようにシリコンゴム樹脂系等の滑り止めを備え、前記滑り止めに物干し竿を挿入可能な溝を備えた。【０００６】  ハンガーのフックの周りをシリコンゴム樹脂系等の滑り止めで覆った。
【考案の効果】
【０００７】  物干し専用ハンガー装置はシリコンゴム樹脂系等の材質の耐候性と柔らかい性質で物干し竿が傾斜を有しでもシリコンゴム樹脂系等は物干し竿の外周全体に密着有しで滑り止めと風が吹いても滑りにくい洗濯物等の干し物は片寄ったりしないので均等に早く乾くのとハンガーを収納箱から取り出す際にフック同士は絡まない、又、コストを下げるために図２に示すように備えた。
【図面の簡単な説明】
【０００８】
【図１】  本考案に係わる物干し専用ハンガー装置のフック全体をシリコンゴム樹脂系等で被覆を備えた斜視図である。
【図２】  本考案に係わる物干し専用ハンガー装置のフックの周りにシリコンゴム樹脂系等で覆いの斜視図である。
【考案を実施するための形態】
【０００９】  本考案に関わる物干し専用ハンガー装置は図１，２，に示すようにハンガー１のフック２全体にシリコンゴム樹脂系等３の滑り止めで被覆を備えフック２の内側に物干し竿の穴４と切り溝と輪５と物干し竿挿入口切り溝６を備えた。
【００１０】  ハンガー１のフック２の周りにシリコンゴム樹脂系等３で覆い備えた。
【符号の説明】
【００１１】  １  ハンガー          ２  フック
３  シリコン樹脂系等の滑り止め          ４  物干し竿の穴
５  切り溝と輪        ６  物干し竿挿入口切り溝
６ａ  物干し竿挿入口    ６ｂ  物干し竿
【図１】
0003169070.tif 000003
【図２】
0003169070.tif 000004
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
ハンガーのフック全体にフックの挿入口を塞ぐようにシリコンゴム樹脂系等の滑り止めを備え、前記滑り止めの周縁に前記挿入口に物干し竿を挿入可能な物干し竿挿入口切り溝を備えたことを特徴とする物干し専用ハンガー装置
【請求項２】
ハンガーのフックの周りをシリコンゴム樹脂系等の滑り止めで覆ったことを特徴とする物干し専用ハンガー装置
(57)【要約】【課題】  本考案は頑丈な材質で本体を製作し、そこにセットされているゴムの交換は容易であり、ゴムの劣化状態が目視できるようにする。また、飛び出す的は本体に対して垂直で容易にセッティングができ、当たると必ず大きく飛び上がる的を提供することである。【解決手段】  本考案は、飛行物の勢いに負けない重量があることを特徴とする為、頑丈な木材、金属、プラスチックなどで製作し、ゴムの劣化状態を目視出来、容易にゴム交換を可能にする為、ゴムを通す穴が開いておりゴムを留めるスリットも設けてある。本体の内部には飛び出す的を本体に対して垂直にセッティング出来るように、的を誘う為の壁が構成されていて、この壁がテコの原理によって必ず大きく飛びだす。本体から飛び出す的を有効的に機能させる為に本体の凸と飛び出す的の凹はしっかりとクリアランスをとる。飛び出す的の底面には凹んだ曲線形状になっており、この形状がゴムの力を分散せず、より強力に箱型の本体より大きく飛び出す構造になっている。【選択図】図５
0003169068.tif 000002
【実用新案登録請求の範囲】
【請求項１】
頑丈な木材、金属、プラスチックなどで作られた本体にゴムを容易にセッティング出来て、ゴムの劣化もそのまま目視出来、本体に垂直にセッティング出来る板が内部に備え付けてあり、そこに１個以上飛び出す的がセッティング出来て、衝撃を与えると大きく確実に飛び上がる的を提供することである。
【考案の詳細な説明】
【技術分野】
【０００１】  本考案は鉄砲玩具などにより、飛び出た物体が、箱状の本体にセットされた的に当たると、大きく飛び出る的に関するものである。
【背景技術】
【０００２】  仕組みがあまりにも単純な為、昔からやや硬い紙や牛乳パックなどで似たような飛び出し玩具は知られている。【０００３】  本体とそれにセッティング出来る飛び出す的から構成されているが、材質や作りが貧弱な為、本体が動いたり、倒れたり、また、飛び出す的も本体に対して垂直にセットするのが容易でなく、上部の形状も制限があり、バラエティーに欠ける。【０００４】  飛び出す的に、当たっても従来の構造だと必ず飛ぶとは限らず、面白さが半減する。【０００５】  的を飛ばすためのゴム交換が容易ではなく、ゴムの劣化状態が目視できない。
【考案の概要】
【考案が解決しようとする課題】
【０００６】  頑丈な木材や金属やプラスチックなどで本体を製作し、そこにセットされているゴムの交換は容易であり、ゴムの劣化状態が目視できる。また、飛び出す的は本体に対して垂直で容易にセッティングができ、当たると必ず大きく飛び上がる的を提供することである。
【課題を解決するための手段】
【０００７】  箱型の本体は頑丈な木材や金属やプラスチックなどで製作し、鉄砲玩具などで飛び出た物体の勢いに負けない重量があることを特徴とし、ゴムを通す穴が開いてあり、ゴムを留めるスリットが設けてある為、ゴムの状態が目視が出来、容易にゴム交換が可能となる。【０００８】  箱型の本体の内部には飛び出す的を本体に対して垂直にセッティング出来るように、的を誘う為の壁が構成されていて、この壁がテコの原理によって飛び出す的に当たると必ず飛びだすように構成されている。【０００９】  箱型の本体から飛び出す的を有効的に機能させる為に本体の凸と飛び出す的の凹はしっかりとクリアランスをとるようにする。【００１０】  飛び出す的の底面には凹んだ曲線形状になっており、この形状がゴムの力を分散せず、より強力に箱型の本体より大きく飛び出す構造になっている。【００１１】  飛び出す的の穴より上部は形状を変えたり、大きさも自由に出来るため、より効果的に演出できる。
【考案の効果】
【００１２】  箱型の本体に重量が増すことにより、頑丈で耐久性がでる。その効果もあって飛び出す的も安定して動作する。【００１３】  本体内側の壁をもうけたことにより、セットも容易になり、さらに飛び出す動作も安定する。【００１４】  ゴムのセッティングが容易で、ゴムが見えていることでデザイン的効果もある。【００１５】  飛び出す的も、垂直にセット出来て見栄えもよくなる。飛び出す動作はより大きく確実に作動する。
【図面の簡単な説明】
【００１６】
【図１】  本体の天面図である。
【図２】  本体の側面図である。
【図３】  本体の底面図である。
【図４】  底面図Ａ−Ａの断面図である。
【図５】  本体と飛び出す的の合体図である。
【図６】  飛び出す的図である。
【考案を実施するための形態】
【００１７】  図２の２の両サイドの穴にゴムを通し、４、５のスリットに引っ掛ける。
【００１８】  図６の飛び出す的を図１の上部の穴へ入れる。入れる時に６、７の内部の壁に沿う様に入れることが出来、本体に垂直にセットで出来る。また、この壁がテコの原理により確実に飛び出す要因になっている構造である。
【００１９】  飛び出す的をセットする時にゴムが１０の曲線部に集まるが、本体の内壁６、７である図４の８のテーパー部を設けることにより、より確実に１０の部分にゴムが集まる。
【００２０】  本体の１の部分と飛び出す的の９の部分が合わさるとセット完了である。
【実施例】
【００２１】  図５はセットされている図である。飛び出す的に飛行物を当てると、本体の１と飛び出す的の９が外れ、３のゴムの力によって上に飛び出る。【００２２】  図２にあるように３のゴムは絶えず見えていて、デザイン的効果もあり、ゴムの劣化や切れても一目瞭然である。【００２３】  図５の状態で横向けにしたり逆さにしても、１と９の部分で引っかかっており、さらに３のゴムで抑えつけてある為、飛び出す的に衝撃を与えない限りはずれない構造になっている。よって、本体を横向きや逆さにぶら下げても、セットされた状態が維持でき、的が飛び出すため、さまざまな演出効果を期待できる。
【符号の説明】
【００２４】  １      本体のスリット
２      本体のゴムを通す穴
３      ゴム
４      ゴムを留めるスリット
５      ゴムを留めるスリット
６      本体内部の壁
７      本体内部の壁
８      本体内部の壁のテーパー
９      飛び出す的の穴
１０      飛び出す的の底面の曲線形状
【図１】
0003169068.tif 000003
【図２】
0003169068.tif 000004
【図３】
0003169068.tif 000005
【図４】
0003169068.tif 000006
【図５】
0003169068.tif 000007
【図６】
0003169068.tif 000008
【手続補正書】
【提出日】平成23年4月13日(2011.4.13)
【手続補正１】
【補正対象書類名】実用新案登録請求の範囲
【補正対象項目名】請求項１
【補正方法】変更
【補正の内容】
【請求項１】
側面にバネの目的を果たす輪ゴムをセットできる複数の穴とスリットが設けてあり、天面に飛び出す的をセット出来る複数の穴が開いている本体と、本体の輪ゴムが接する部分である底面が凹んでいて本体と結合出来る穴が開いている複数の板から出来ており、本体と板を組み合わせることによって、板に衝撃を与えると板が飛び上がるジャンピング的。
(57)【要約】      （修正有）【課題】軽く足の上下運動をするための健康器具を提供する。【解決手段】半円形の２本の土台に踏み板を接合し、踏み板の上にすべり止めのゴムを接合し、とっき物を付ける。土台の下にすべり止めのゴムを付け、踏み板の両側の端裏にすべり止めのゴムを横に付ける。【選択図】図２
0003169064.tif 000002
【実用新案登録請求の範囲】
【請求項１】
全体を木製にした場合
１、木製の板木、約３ｃｍ幅を、土台木として、２本使用、形を半円形にする。
２、中央に、たる木を１本横に使用、その上に水平板を置く。
３、水平板の上にすべり止のゴムマットを置く、ゴムマットの両側に、上に、とっき物を置く、角を丸みをつける。
４、平板の両側の端裏に止めゴムを置く。
５、土台木の裏にゴムを置く。
【請求項２】
全体を金属にした場合
１、金属パイプを２本を土台として、その上に平板、樹脂、または木制を使用
２、平板の上にゴムマットを接合する。ゴムマットの両側に、とっき物を置き、その下にすべり止のゴムを接合する。
３、平板の角を丸をつける。
４、土台金属パイプの下にゴムを接合する。
【請求項３】
全体をプラスチック樹脂でした場合。
１、全体をプラスチック樹脂を使用、
２、平板、プラスチック樹脂上にゴム板を接合する。
【考案の詳細な説明】
【図面の簡単な説明】
【図１】本案の正面図
【符号の説明】▲１▼は、木製の土台木、半円形にする。
▲２▼は、平板
▲３▼は、ゴムマット、▲２▼の平板とゴムマットを接合する。
▲４▼は、中央たる木  ▲１▼の土台木と▲２▼の平板を組合せる。
▲５▼は、止めゴムを置く。
▲６▼は、土台木下、裏にゴムを接合する。
▲７▼  とっき物をもうける。
▲８▼  平板の角は丸みをつける。
▲９▼  使用方法
▲１０▼  全体のおおきさ。
図１、本案の正面図
符号の説明
▲１▼は、土台の半円形の金属パイプ
▲２▼  パイプたて軸
▲３▼  平板の、木制かプラスチック樹脂
▲４▼  ゴムマット
▲５▼  とっき物
▲６▼  平板下の止めゴム
図１、本案の正面図
▲１▼  全体をプラスチック樹脂にして、
▲２▼  平板上にゴムマットを接合する。
▲３▼  ゴムマットの両側にとっき物をつける。
▲４▼  平板の角は丸をつける。
▲５▼  土台下にゴムを接合する。
▲６▼  平板下に両端下に止めゴムを付ける。
0003169064.tif 000003
0003169064.tif 000004
0003169064.tif 000005
【手続補正書】
【提出日】平成23年2月7日(2011.2.7)
【手続補正１】
【補正対象書類名】実用新案登録請求の範囲
【補正対象項目名】全文
【補正方法】変更
【補正の内容】
【実用新案登録請求の範囲】
【請求項１】
１、木製又は、プラスチック樹脂製又は、金属製の半円形の２本土台に踏み板を接合し、踏み板の上にスベリ止のゴムを接合し、とっき物を付ける
２、土台の下にスベリ止のゴムを付ける
３、踏み板の両側の端裏にスベリ止のゴムを横に付ける。
【手続補正２】
【補正対象書類名】明細書
【補正対象項目名】全文
【補正方法】変更
【補正の内容】
【考案の詳細な説明】
【考案の詳細な説明】
Ａ  この考案は、２つの半円形土台に踏み板を接合し、その踏み板上にゴムマットを接合しスベリ止のとっき物をつけたものである。
Ｂ、この考案は軽く足を上下運動することにより体の腹筋、背筋、ももふくらはぎ、足首、足裏と脳を刺激することにより、体を活性するためにした器具である。また、軽くシェプアップすることもできる。
【図面の簡単な説明】
【図１】は平面図である。
【図２】は正面図である。
【図３】は側面図である。
【図４】は斜視図である。
【図５】は平面図である。
【図６】は正面図である。
【図７】は側面図である。
【図８】は斜視図である。
【図９】は平面図である。
【図１０】は正面図である。
【図１１】は側面図である。
【図１２】は斜視図である。
【符号の説明】▲１▼は踏み板  ▲２▼はゴムマット  ▲３▼はゴムマットとっき物  ▲４▼は土台木
▲５▼は中ざん木  ▲６▼は底スベリ止ゴム  ▲８▼は止めゴム
▲７▼はプラスチック樹脂基礎土台
▲９▼は基礎土台の金属パイプ
【手続補正３】
【補正対象書類名】図面
【補正対象項目名】全図
【補正方法】変更
【補正の内容】
0003169064.tif 000006
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
１、木製又は、プラスチック樹脂製又は、金属製の半円形の２本土台に踏み板を接合し、踏み板の上にスベリ止のゴムを接合し、とっき物を付ける
２、土台の下にスベリ止のゴムを付ける
３、踏み板の両側の端裏にスベリ止のゴムを横に付ける  以上の構成からなる半円形シェプアップシーソ式健康器具。
【手続補正２】
【補正対象書類名】図面
【補正対象項目名】全図
【補正方法】変更
【補正の内容】
【図１】
0003169064.tif 000007
【図２】
0003169064.tif 000008
【図３】
0003169064.tif 000009
【図４】
0003169064.tif 000010
【図５】
0003169064.tif 000011
【図６】
0003169064.tif 000012
【図７】
0003169064.tif 000013
【図８】
0003169064.tif 000014
【図９】
0003169064.tif 000015
【図１０】
0003169064.tif 000016
【図１１】
0003169064.tif 000017
【図１２】
0003169064.tif 000018
(57)【要約】      （修正有）【課題】オイルマッサージもでき、効率よくマッサージを行い、血行をよくして健康を増進するマッサージ用ローラーを提供する。【解決手段】植物油を含浸させたマッサージ用のローラーを使用すると、押圧効果に加えて、オイルマッサージ効果も付加できるので、効率よくマッサージすることができる。ローラー表面より植物油がしみ出るのでオイルマッサージの効果も付加することができる。【選択図】図２
0003169078.tif 000002
【実用新案登録請求の範囲】
【請求項１】
植物油を含浸させた木製のマッサージ用のローラー。
【考案の詳細な説明】
【技術分野】
【０００１】この考案は顔および他の体の皮膚を押圧回転し、マッサージを行う美顔、美肌用具に関する。
【背景技術】
【０００２】従来のローラー式マッサージ用具には円筒型や球状の回転体で皮膚を押圧して使用するマッサージ用のローラーがある。
【考案の開示】
【考案が解決しようとする課題】
【０００３】従来のマッサージ用のローラーは円筒形や球状の回転体で皮膚を押圧するマッサージの機能しかない。
【課題を解決するための手段】
【０００４】本考案の植物油を含浸させた木製のマッサージ用のローラーを提供する。
【考案の効果】
【０００５】植物油は皮膚に優しく、従来の押圧だけのマッサージだけではなく、植物油によるオイルマッサージの効果が付加される。
【実施例】
【０００６】［図１］が従来のマッサージ用ローラーで、押圧の効果しかない。［図２］が本考案の植物油を含浸させた木製のローラーで、押圧の効果のほかにはローラー表面より植物油がしみ出るのでオイルマッサージの効果も付加することができる。
【産業上の利用可能性】
【０００７】本考案のマッサージ用のローラーは押圧するだけでなく、オイルマッサージもできるので、効率よくマッサージを行い、血行をよくして健康を増進する。
【図面の簡単な説明】
【０００８】
【図１】従来のマッサージ用ローラー
【図２】本考案の植物油を含浸させた木製のマッサージ用ローラー
【図１】
0003169078.tif 000003
【図２】
0003169078.tif 000004
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
皮膚の表面上で回転させるマッサージ用ローラーで円筒型や球状の回転体に植物油を含浸させたことを特徴とする木製のマッサージ用のローラー
(57)【要約】      （修正有）【課題】十分な押圧力を有し、肋骨隆起改善効果をもたらすアンダーアームタイプ装具を提供する。【解決手段】背面の右側部と左側部とを接続するベルトの肋骨隆起部、腰椎隆起部に延長パッドを設ける。【選択図】図１
0003169076.tif 000002
【実用新案登録請求の範囲】
【請求項１】
アンダ−ア−ムタイプ装具の背面の肋骨隆起部、腰椎隆起部に延長パッドを設けたこと。
【請求項２】
アンダ−ア−ムタイプ装具の背面が左右傾斜する場合、筋交いベルトを設けることにより左右の高さを均等にさせ装着させることで姿勢の矯正になる。
【考案の詳細な説明】
【技術分野】
【０００１】本考案は側弯症矯正装具アンダ−ア−ムタイプに延長パッド及び筋交いベルトを設けた装具に関するものである。
【背景技術】
【０００２】（イ）技術背景としては従来の側弯症矯正装具アンダ−ア−ムタイプに脊柱の回旋を逆回    旋させるように押圧力の効果を向上させるためパッドを延長する。
（ロ）ベルトはパッド中央部を通るように装着させる。
（ハ）立位装着時装具が左右傾斜する場合は筋交いベルトで補強安定させる。
【技術文献】
【非特許文献】
【０００３】
【非特許文献１】  株式会社共和義肢製作所  製品紹介  側弯矯正装具
【非特許文献２】  泉整形クリニック  製品紹介  側弯矯正装具
【考案の概要】
【考案が解決しようとする課題】
【０００４】（イ）側弯症は脊柱が左右に弯曲だけでなく捩れをともない回旋する。その回旋を戻すこ    とが重要であり、装具装着時に回旋戻し効果を発揮できる構造が課題です。
（ロ）立位装具装着時、身体に歪みがあるため装具が左右に傾斜することがある、この傾    斜をなくす構造が課題です。
【課題を解決するための手段】
【０００５】（イ）回旋の戻し効果を向上させるには従来のパッドのみでは押圧力の不足であり、その    ため現状パッドに延長パッドを設けることで後方から前方へ押圧力を発生させる。
（ロ）身体の歪みにより立位装具装着では、装具が左右に傾斜を発生することがある。
この場合は筋交いベルトを設けることにより背面部の左右高さを均等にさせる。
【考案の効果】
【０００６】（イ）延長パッドで後方から前方へ押圧力を向上させるにより、従来の装具では押圧力不    足のため、できなかった肋骨隆起改善効果をもたらす。
（ロ）立位装具装着時身体の歪みにより装具は傾斜を発生する場合、筋交いベルトにより    左右均等に固定して装着させる。
（ハ）左右均等に装着することで立位の姿勢を矯正させる。
【図面の簡単な説明】
【０００７】
【図１】本考案の側弯矯正装具アンダ−ア−ムタイプに延長パッド及び筋交いベルトを装着した背面図である。
【考案を実施するための形態】
【０００８】（イ）本案は以上のような構造であるから、立位装具装着後背面を確認し肋骨隆起、腰椎    隆起の部分に延長パッドが当たっていることを確認する。
（ロ）隆起部分とパッドに隙間があればパッドを厚くすることで押圧力を増加させる。
（ハ）延長パッドの中央部にベルトを装着できるようにする。
【実施例】
【０００９】（イ）本考案の実施に当たり延長パッドは従来パッドの素材でよい。パッドの上からプラ    スチックでカバ−を設けることで、上部を通る固定ベルトの押圧力が増加される。
（ロ）ベルトは延長パッドの中央上部通すことで肋骨隆起が後方から前方へ押圧される。
（ハ）立位装具装着時に装具の傾斜を点検する必要がある、傾斜方向により筋交いベルト    を片方のみかでよいか、左右「Ｘ」状態がよいか確認して実施する。
【産業上の利用可能性】
【００１０】（イ）本考案の産業上の利用可能性は高い。全国の装具社はアンダ−ア−ム装具を採用し    ているが、肋骨隆起改善は脊柱の回旋を逆回旋させる構造が必要である。
既存の装具に延長パッド、筋交いベルトで効果を向上させるため利用価値が高い。
【符号の説明】
【００１１】１      装具本体
２      ベルト
３      ベルト
４      ベルト
５      胸椎延長パッド
６      腰椎延長パッド
７      筋交いベルト
８      筋交いベルト
【図１】
0003169076.tif 000003
【手続補正書】
【提出日】平成23年4月20日(2011.4.20)
【手続補正１】
【補正対象書類名】実用新案登録請求の範囲
【補正対象項目名】全文
【補正方法】変更
【補正の内容】
【実用新案登録請求の範囲】
【請求項１】
アンダ−ア−ムタイプ装具であって背面の右側部と左側部とを接続するベルトの肋骨隆起部、腰椎隆起部に延長パッドを設けたことを特徴とするアンダ−ア−ムタイプ装具。
(57)【要約】      （修正有）【課題】就寝中に掛け布団類がずれ落ちるのを防止する上掛け布団ずれストッパーを提供する。【解決手段】アームの先端をＴ字型の上部ストッパー及び下部ストッパーとし、上部及び下部ストッパーの両面を滑り止め凸起付きとする。【選択図】図１
0003169077.tif 000002
【実用新案登録請求の範囲】
【請求項１】
布団を干すために市販されている布団ばさみには同形態の物もあるが、就寝中の重なる上掛け布団部分を挟み込む為に、上下から伸びたアームの先端をＴ字型にし、上下の両面を凹凸面状として、挟み込む力を強化して寝具のズレを少なして寝具装着の乱れから生じる不快感を少なくし、安眠のための快適保温を維持する機能有する。
構造物は出来るだけ軽量化にし、安全を重視した使い勝手が良い安価な製品とする。
同目的を持った同様品は現在開発市販されていないものと理解している。
【考案の詳細な説明】
【技術分野】
【０００１】本考案は、上掛け布団他複数枚寝具をストッパーで挟み抑えるものである
【背景技術】
【０００２】寝具、掛け布団毛布などの２枚３枚と重ねて就寝している時、寝返りを繰り返しているうちに、重ねた掛け布団がズレて移動し寒気のために、重ね布団本来の保温力低下により安眠熟睡を妨げられる事が多い。
【考案の概要】
【０００３】人生、三分一は布団の中と言われますが、寝具の不具合による不快感不満足の原因の一つに、就寝中の体位から掛け布団がはずれて寒さのために寝不足になってしまった事が頻繁にある。同じ様な悩みと経験を有する方の問題を解決する為に、掛け布団ずれ防止ストッパーの考案に至る。
【考案が解決しようとする課題】
【０００４】一般的には、体質的に寒さに弱い方、寒い冬季、介護を必要とする方、特にベッドを利用される方の掛け布団類のズレ落ちを抑えることが出来る。
【考案の効果】
【０００５】ストッパーを使用する事により、２枚３枚と重ねた掛け布団類がズレなどで動かない。
【図面の簡単な説明】
【０００６】添付図面１．２．３にて説明します。
【図１】図面１は全体構造図
【図２】図面２はストッパー部分図
【図３】図面３はストッパー装着図です。
【考案を実施するための形態】
【０００７】製品本体は材質をポリプロピレンとし、伸縮バネは硬鋼線使用し開閉力強化する。
軽量で使用しやすく、かつ安全を第一としている。
【実施例】
【０００８】試作品を使用した結果からも、寝返りなどによる掛け布団のズレも少なく厳寒であつた今年の冬も、重ねた布団の動きを気にすることなく温かく安眠が出来ました。
【図１】
0003169077.tif 000003
【図２】
0003169077.tif 000004
【図３】
0003169077.tif 000005
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
アームの先端をＴ字型の上部ストッパー及び下部ストッパーとし上部及び下部ストッパーの両面を滑り止め凸起付きとしたことを特徴とする上掛け布団ずれストッパー。